(57)【特許請求の範囲】
【請求項１】
薬液が収納された複数の収納部を有する容器本体と、前記収納部を仕切っており外部から圧力を加えることにより剥離可能な区画部と、容器本体を吊り下げるための掛吊り穴を備えており、前記区画部を剥離して複数の収納部同士を連通させて前記収納部に収納された薬液を混合する医療用複室容器において、
前記掛吊り穴を被覆し貼付する開通確認ラベルであって、
前記開通確認ラベルが、
厚み方向に基材層と、前記基材層の一方の面に第一粘着剤層を備えたラベル本体と、前記第一粘着剤層の前記基材層とは反対側の面に剥離紙を備え、
前記ラベル本体は、平面視、前記ラベル本体の一方の辺から対向する他方の辺に向かい膨出した開いた形状の切り取り線を備え、前記ラベル本体の一方の辺と前記切り取り線で囲まれた部分が切り取り部とされており、
前記切り取り部の前記ラベル本体の他方の辺の側に前記第一粘着剤層がない粘着剤層非形成部を備えており、
前記切り取り線が、全カット線と、マイクロミシン目線からなり、前記粘着剤層非形成部と前記全カット線が対向して位置することを特徴とする開通確認ラベル。
【請求項２】
前記ラベル本体の前記基材層の他方の面に第二粘着剤層と、前記第二粘着剤層の前記基材層とは反対側の面に表面保護層を備え、
前記第二粘着剤層及び前記表面保護層は、前記基材層が備える前記切り取り線と同調する切り取り線を備えることを特徴とする請求項１に記載の開通確認ラベル。
【請求項３】
前記切り取り部が前記粘着剤層非形成部と対向する領域に複数の罫線を備えることを特徴とする請求項１または請求項２に記載の開通確認ラベル。
【請求項４】
前記第二粘着剤層と前記基材層の間に粘着性を無力化する隠蔽層を備え、前記隠蔽層が前記全カット線を跨ぐ領域に位置することを特徴とする請求項２に記載の開通確認ラベル。
【請求項５】
薬液が収納された複数の収納部を有する容器本体と、前記収納部を仕切っており外部から圧力を加えることにより剥離可能な区画部と、容器本体を吊り下げるための掛吊り穴を備えており、前記区画部を剥離して複数の収納部同士を連通させて前記収納部に収納された薬液を混合する医療用複室容器において、
請求項１乃至請求項４のいずれかに記載の開通確認ラベルが、前記剥離紙が取り除かれた状態で前記ラベル本体の前記第一粘着剤層の面が前記容器本体に貼付されており、
前記切り取り部が前記掛吊り穴を被覆し、前記切り取り部の前記粘着剤層非形成部が前記掛吊り穴の近傍の前記収納部の上に位置することを特徴とする開通確認ラベル付き医療用複室容器。
【請求項６】
薬液が収納された複数の収納部を有する容器本体と、前記収納部を仕切っており外部から圧力を加えることにより剥離可能な区画部と、容器本体を吊り下げるための掛吊り穴を備えており、前記区画部を剥離して複数の収納部同士を連通させて前記収納部に収納された薬液を混合する医療用複室容器において、
請求項１乃至請求項４のいずれかに記載の開通確認ラベルを用いて、
前記剥離紙を取り除き、
前記ラベル本体の前記切り取り部が前記掛吊り穴を被覆し、前記切り取り部の前記粘着剤層非形成部が前記掛吊り穴の近傍の前記収納部の上に位置するように前記第一粘着剤層の面を前記容器本体に貼付し、開通確認ラベル付き医療用複室容器を作製し、
複数の前記収納部に収納された薬液の混合に際し、前記容器本体の前記掛吊り穴の近傍の前記収納部に外部から圧力を加えたとき、
前記ラベル本体の前記切り取り部の前記粘着剤層非形成部の部分が前記容器本体から離間すると共に前記区画部が剥離し複数の前記収納部同士が連通し薬液が混合され、
前記容器本体から離間した前記切り取り部の前記粘着剤層非形成部より前記切り取り部を切り取り、取り除くことにより前記掛吊り穴が露出され、
医療用複室容器に収納された薬液の混合が実施されたことが確認できることを特徴とする開通確認ラベルの使用方法。
【発明の詳細な説明】
【技術分野】
【０００１】
本発明は、薬液が収納された複数の収納部を有し、これら薬液を収納した収納部の薬液を使用直前に混合して、点滴等に使用する医療用複室容器に貼付する開通確認ラベル、開通確認ラベル付き医療用複室容器、及びその開通確認ラベルの使用方法に関する。
【背景技術】
【０００２】
例えば、静脈注射により患者に投与する薬液の中には、予め配合しておくと経時的に変化する不安定なものがある。このような薬液は配合前の成分を剥離可能に弱接着された区画部によって仕切られた複数の収納部に薬液を別々に収納する医療用複室容器を用いることが広く知られている。この医療用複室容器は、外部から圧力を加えることにより区画部を剥離させ、収納部同士を連通させて薬液同士を混合する（以下、開通作業という。）。そして、掛吊り穴にフックを掛けて、容器本体を吊り下げた状態として、薬液取り出し口を密封するゴム栓にカテーテルに接続された刺栓針を刺し込み、カテーテルの先端に取り付けられた注射針から患者に投与される。
【０００３】
しかし、このような医療用複室容器は一つの収納部に薬液取り出し口が設けられており、開通作業を忘れ、区画部の剥離をせず薬液同士が混合されていないままでも薬液の投与が行えるため、混合されていない薬液を患者に投与してしまう危険性がある。そこで開通作業忘れ防止をするために、医療用複室容器の掛吊り穴を塞ぐように貼付された剥離可能な開通確認用シールを備え、この開通確認用シールは薬剤の混合を促す表示部を有して、医療用複室容器中の薬剤を混合するための注意喚起させる医療用複室容器が開示されている（例えば、特許文献１参照）。
【０００４】
特許文献１によれば掛吊り穴が開通確認用シールで塞がれているために医療用複室容器をフックに吊り下げることができず、開通作業忘れ防止のための注意喚起効果はあった。しかし、開通確認用シール全体が容器本体に貼付されているので、開通確認用シールを捲り取るのが煩わしく面倒な作業であるという問題がある。また、開通確認用シールは剥がしてしまうと、容器本体に薬液の混合を促す表示部がなくなるために注意喚起効果が十分に発揮されず、区画部を剥離して開通させる前に開通確認シールを剥がしてしまうと、さらなる注意喚起は期待薄となる。また、医療従事者は複数の患者の処置を同時に行うことがあり、使用のための準備を行い始めた医療用複室容器を一旦放置したまま他の作業を行い、その後、医療用複室容器の使用準備を再開する場合や、他の医療従事者が使用準備を再開する場合もある。このような場合においては、開通作業が完了したと勘違いして、複数の収納部が連通されていない状態で患者への薬液投与を開始してしまう危険がある。
【先行技術文献】
【特許文献】
【０００５】
【特許文献１】実用新案登録第３０７４８８５号公報
【発明の概要】
【発明が解決しようとする課題】
【０００６】
そこで本発明は、上記問題を解決すべくなされたものであり、その目的とするところは開通作業を行うことにより容易に開通確認ラベルを剥離することが可能な開通確認ラベル、開通確認ラベル付き医療用複室容器、及びその開通確認ラベルの使用方法を提供することにある。
【課題を解決するための手段】
【０００７】
本発明は、上記課題を達成するために、請求項１記載の本発明は、薬液が収納された複数の収納部を有する容器本体と、前記収納部を仕切っており外部から圧力を加えることにより剥離可能な区画部と、容器本体を吊り下げるための掛吊り穴を備えており、前記区画部を剥離して複数の収納部同士を連通させて前記収納部に収納された薬液を混合する医療用複室容器において、前記掛吊り穴を被覆し貼付する開通確認ラベルであって、前記開通確認ラベルが、厚み方向に基材層と、前記基材層の一方の面に第一粘着剤層を備えたラベル本体と、前記第一粘着剤層の前記基材層とは反対側の面に剥離紙を備え、前記ラベル本体は、平面視、前記ラベル本体の一方の辺から対向する他方の辺に向かい膨出した開いた形状の切り取り線を備え、前記ラベル本体の一方の辺と前記切り取り線で囲まれた部分が切り取り部とされており、前記切り取り部の前記ラベル本体の他方の辺の側に前記第一粘着剤層がない粘着剤層非形成部を備えていることを特徴とする開通確認ラベルである。
【０００８】
また、請求項２記載の本発明は、請求項１に記載の開通確認ラベルにおいて、前記ラベル本体の前記基材層の他方の面に第二粘着剤層と、前記第二粘着剤層の前記基材層とは反対側の面に表面保護層を備え、前記第二粘着剤層及び前記表面保護層は、前記基材層が備える前記切り取り線と同調する切り取り線を備えることを特徴とするものである。
【０００９】
また、請求項３に記載の本発明は、請求項１または請求項２に記載の開通確認ラベルにおいて、前記切り取り線が、全カット線と、マイクロミシン目線からなり、前記粘着剤層非形成部と前記全カット線が対向して位置することを特徴とするものである。
【００１０】
また、請求項４に記載の本発明は、請求項１乃至請求項３のいずれかに記載の開通確認ラベルにおいて、前記切り取り部が前記粘着剤層非形成部と対向する領域に複数の罫線を備えることを特徴とするものである。
【００１１】
また、請求項５に記載の本発明は、請求項３または請求項４に記載の開通確認ラベルにおいて、前記第二粘着剤層と前記基材層の間に粘着性を無力化する隠蔽層を備え、前記隠蔽層が前記全カット線を跨ぐ領域に位置することを特徴とするものである。
【００１２】
また、請求項６に記載の本発明は、薬液が収納された複数の収納部を有する容器本体と、前記収納部を仕切っており外部から圧力を加えることにより剥離可能な区画部と、容器本体を吊り下げるための掛吊り穴を備えており、前記区画部を剥離して複数の収納部同士を連通させて前記収納部に収納された薬液を混合する医療用複室容器において、請求項１乃至請求項５のいずれかに記載の開通確認ラベルが、前記剥離紙が取り除かれた状態で前記ラベル本体の前記第一粘着剤層の面が前記容器本体に貼付されており、前記切り取り部が前記掛吊り穴を被覆し、前記切り取り部の前記粘着剤層非形成部が前記掛吊り穴の近傍の前記収納部の上に位置することを特徴とする開通確認ラベル付き医療用複室容器である。
【００１３】
また、請求項７に記載の本発明は、薬液が収納された複数の収納部を有する容器本体と、前記収納部を仕切っており外部から圧力を加えることにより剥離可能な区画部と、容器本体を吊り下げるための掛吊り穴を備えており、前記区画部を剥離して複数の収納部同士を連通させて前記収納部に収納された薬液を混合する医療用複室容器において、請求項１乃至請求項５のいずれかに記載の開通確認ラベルを用いて、前記剥離紙を取り除き、前記ラベル本体の前記切り取り部が前記掛吊り穴を被覆し、前記切り取り部の前記粘着剤層非形成部が前記掛吊り穴の近傍の前記収納部の上に位置するように前記第一粘着剤層の面を前記容器本体に貼付し、開通確認ラベル付き医療用複室容器を作製し、複数の前記収納部に収納された薬液の混合に際し、前記容器本体の前記掛吊り穴の近傍の前記収納部に外部から圧力を加えたとき、前記ラベル本体の前記切り取り部の前記粘着剤層非形成部の部分が前記容器本体から離間すると共に前記区画部が剥離し複数の前記収納部同士が連通し薬液が混合され、前記容器本体から離間した前記切り取り部の前記粘着剤層非形成部より前記切り取り部を切り取り、取り除くことにより前記掛吊り穴が露出され、医療用複室容器に収納された薬液の混合が実施されたことが確認できることを特徴とする開通確認ラベルの使用方法である。
【発明の効果】
【００１４】
本発明の開通確認ラベル、開通確認ラベル付き医療用複室容器、及びその開通確認ラベルの使用方法は、医療用複室容器の複数の収納部の開通作業の際、区画部を剥離させるために収納部を加圧したとき、切り取り部の収納部側が容器本体と離間し、切り取り部の一端を摘み容易に剥離することができる。また、開通作業が実施されないと切り取り部が容器本体から離間しないので切り取り部を切り取りにくく、したがって、掛吊り穴は塞がれたままになるので開通作業が未実施であることが確認できる。
【図面の簡単な説明】
【００１５】
【図１】本発明に係る開通確認ラベルの平面図、及びＡ−Ａ線断面図である。
【図２】本発明に係る開通確認ラベルを使用する医療用複室容器の一例を示す平面図である。
【図３】本発明に係る開通確認ラベル付き医療用複室容器の一実施形態を示す平面図とＢ−Ｂ線断面図である。
【図４】本発明に係る開通確認ラベル付き医療用複室容器の開通確認ラベルの使用方法を説明する断面図である。
【図５】本発明に係る開通確認ラベルの切り取り部を切り取った状態を示す説明図である。
【図６】本発明に係る開通確認ラベル付き医療用複室容器の開通確認ラベルのラベル本体の切り取り部を切り取った状態を示す説明図である。
【発明を実施するための形態】
【００１６】
上記の本発明について、図面等を用いて以下に詳述する。
図１は本発明に係る開通確認ラベルの平面図、及びＡ−Ａ線断面図、図２は本発明に係る開通確認ラベルを使用する医療用複室容器の一例を示す平面図、図３は本発明に係る開通確認ラベル付き医療用複室容器の一実施形態を示す平面図とＢ−Ｂ線断面図、図４は本発明に係る開通確認ラベル付き医療用複室容器の開通確認ラベルの使用方法を説明する断面図、図５は本発明に係る開通確認ラベルの切り取り部を切り取った状態を示す説明図、図６は本発明に係る開通確認ラベル付き医療用複室容器の開通確認ラベルのラベル本体の切り取り部を切り取った状態を示す説明図であり、図中の１０は開通確認ラベル、１０’は切り取り部が除かれたラベル本体、１０ａはラベル本体の一方の辺、１０ｂはラベル本体の他方の辺、Ｌはラベル本体、Ｈは剥離紙、１１は基材層、１２は第一粘着剤層、１２ａは粘着剤層非形成部、１３は第二粘着剤層、１３ａは隠蔽層、１４は表面保護層、１５は切り取り線、１５ａは全カット線、１５ｂはマイクロミシン目線、１６は切り取り部、１６’は切り取り片、１７は罫線、ｓは起点、ｔは終点、ｕはＵターン地点、２０は医療用複室容器、２１は容器本体、２２、２３は収納部、２４は区画部、２４’は剥離した区画部、２５は掛吊り穴、２６は上部幅広部、２７は下部幅広部、２８は薬液取り出し口、２９ａ、２９ｂは薬液、３０は開通確認ラベル付き医療用複室容器をそれぞれ示す。
【００１７】
図１は本発明に係る開通確認ラベル１０の一実施形態を示し、図１（イ）は平面図、図１（ロ）はＡ−Ａ線断面図である。まず、図１を参照しながら本発明の開通確認ラベル１０について説明する。図１に示すように開通確認ラベル１０は、後述するが薬液が収納された複数の収納部を有する容器本体と、収納部を仕切っており外部から圧力を加えることにより剥離可能な区画部と、容器本体を吊り下げるための掛吊り穴を備えており、区画部を剥離して複数の収納部同士を連通させて収納部に収納された薬液を混合する医療用複室容器２０（図２参照）において、掛吊り穴２５（図２参照）を被覆し貼付する開通確認ラベル１０である。開通確認ラベル１０は角丸の略矩形状のラベル本体Ｌと、ラベル本体Ｌより大きい剥離紙Ｈで構成され、ラベル本体Ｌは、平面視、ラベル本体の一方の辺１０ａから対向するラベル本体の他方の辺１０ｂに向かい膨出した開いた形状の切り取り線１５を備えている。一実施形態を示す切り取り線１５はラベル本体の一方の辺１０ａの左寄りを起点ｓとしてラベル本体の他方の辺１０ｂの中央に向かい下り延びラベル本体の他方の辺１０ｂの近傍のＵターン地点ｕでＵターンしラベル本体の一方の辺１０ａの右寄りを終点ｔとして上り延びる略Ｕ字状である。切り取り線１５の形状は限定されるものではないが、ラベル本体の一方の辺１０ａの起点ｓと終点ｔを結ぶ幅を最大とし、Ｕターン地点ｕに向かい相互に近づく傾斜でＵターン付近の幅が狭くなっていることが好ましい。ラベル本体の一方の辺１０ａと切り取り線１５で囲まれた部分が切り取り部１６とされている。切り取り部１６の形状を前記の形状とすることにより、切り取りが容易となる。
【００１８】
切り取り線１５は、全カット線１５ａと、マイクロミシン目線１５ｂからなることが好ましく切り取りが容易となる。全カット線１５ａはＵターン地点ｕを含むＵ字状であり、全カット線１５ａが位置する領域は第一粘着剤層１２が存在しない粘着剤層非形成部１２ａとされている。粘着剤層非形成部１２ａは図１（イ）の左右方向に所定幅を有し形成されている。すなわち、粘着剤層非形成部１２ａと全カット線１５ａが対向して位置している。マイクロミシン目線１５ｂはラベル本体Ｌを貫通するカットとノンカットが交互に配列されており、カット長さは０．２５ｍｍ以上であり、ノンカット長さは０．２０ｍｍ以下が好ましい。
【００１９】
また、切り取り部１６が粘着剤層非形成部１２ａと対向する領域に３本の罫線１７を備えている。罫線１７は設けるほうが好ましく、後述する開通作業の際、切り取り部１６が容器本体から離間し易い。また、罫線１７は図１に限定されるものではないが、２本以上の複数設ける方が好ましく、さらにラベル本体の一方の辺１０ａに平行に全カット線１５ａに近接するまで延びているのが好ましい。また、罫線１７は開通確認ラベル１０の表出面から内側に凹む押罫線が好ましい。また、罫線１７は表出面を切線とするハーフカットにすることもできる。
【００２０】
図１（ロ）は開通確認ラベル１０の断面図である。開通確認ラベル１０は、厚み方向に順に表面保護層１４、第二粘着剤層１３、基材層１１、第一粘着剤層１２が積層されたラベル本体Ｌと、第一粘着剤層１２の基材層１１とは反対側の面に剥離紙Ｈを備えた構成である。ラベル本体Ｌは表面保護層１４及び第二粘着剤層１３は省略し、基材層１１と第一粘着剤層１２にすることもできるが、基材層１１の第一粘着剤層１２の反対側の面に印刷する場合、印刷インキが摩擦で擦れることを防止できるので表面保護層１４及び第二粘着剤層１３を設ける方が好ましい。第一粘着剤層１２は図１（イ）における左右方向に所定幅を有し第一粘着剤層１２がない粘着剤層非形成部１２ａを備えている。全カット線１５ａは粘着剤層非形成部１２ａの領域内に位置している。したがって、切り取り部１６の全カット線１５ａとその両端を結ぶ仮想線で囲まれた領域は第一粘着剤層１２が存在していない。さらに、その範囲のラベル本体Ｌに罫線１７を備える。罫線１７はラベル本体Ｌの表面保護層１４の表出面から基材層１１に達する罫線１７が設けられている。さらに第二粘着剤層１３と基材層１１の間に粘着性を無力化する隠蔽層１３ａを備え、隠蔽層１３ａが全カット線１５ａを跨ぐ領域に全カット線１５ａに沿って位置している。全カット線１５ａは表面保護層１４、第二粘着剤層１３、隠蔽層１３ａ、基材層１１を貫通して形成されている。すなわち、隠蔽層１３ａ、第二粘着剤層１３及び表面保護層１４は、基材層１１が備える切り取り線１５と同調している。さらに、第二粘着剤層１３を介して表面保護層１４を設ける場合には、隠蔽層１３ａを設ける方が好ましく、全カット線１５ａに沿って後述する開通作業の際、切り取り部１６が容器本体から離間がスムーズになり切り取り部の１６の切り取りが容易になる。
【００２１】
本発明の開通確認ラベル１０の基材層１１に用いる基材としては、ポリエチレンテレフタレート、ポリエチレン、ポリプロピレン、スチレン等のプラスチックフィルムや合成紙、あるいは、これらの積層体等が使用できる。厚さとしては１０〜１８８μｍ程度であり、２０〜１５０μｍが好ましく、５０〜１２５μｍがより好ましい。
【００２２】
基材層１１の一方の面に設けられる第一粘着剤層１２としては、天然ゴムラテックス、合成ゴムラテックスあるいはアクリル系樹脂、ゴム系樹脂等にテルペン樹脂やロジン等の粘着付与剤を配合した合成樹脂等の従来から使用されている感圧型粘着剤の中から任意に選んで、グラビアコート法、ロールコート法、あるいは、加熱溶融押し出し法等の周知の塗布方法で塗布することにより形成することができ、必要に応じて増粘剤、分散剤、消泡剤、帯電防止剤、防腐剤等の添加剤を加えてもよく、塗布量は固形分として１０〜３０ｇ／ｍ2 が適当である。このとき、粘着剤層非形成部１２ａを形成する。
【００２３】
基材層１１の他方の面側に設けられる表面保護層１４の基材としては、基材層１１の他方の面に形成される印刷層の保護と表面光沢の付与のために設けるものであり、ポリエチレンテレフタレート、ポリエチレン、ポリプロピレン等の透明または半透明フィルムが使用できる。また、意匠性を付与する場合にはマットフィルムとしてもよい。厚さとしては５〜５０μｍ程度であり、１０〜４０μｍが好ましい。
【００２４】
第二粘着剤層１３は第一粘着剤層１２で用いられる感圧型粘着剤が用いられる。また、基材層１１に第二粘着剤層１３を設けた場合、切り取り線１５の全カット線１５ａを形成する位置に第二粘着剤層１３の基材層１１と反対側の面に隠蔽層１３ａをパターンコートして設けるのが好ましい。
隠蔽層１３ａは、第二粘着剤層１３の粘着性を無力化し無効にするものであり、いわゆる糊殺しと称するものである。これはあらかじめ形成された第二粘着剤層１３面に例えば、紫外線硬化型インキを塗布することにより粘着面を非粘着面とする方法である。例えば、この糊殺しのための一部非粘着化の工程は、表面保護層１４、第二粘着剤層１３、剥離紙（図示しない）が順次、積層された積層シートの剥離紙を一旦分離する第１工程、第二粘着剤層１３面の所定の位置に紫外線硬化型インキをパターン印刷する第２工程、紫外線を照射する第３工程と積層シートと剥離紙を再び積層する第４工程からなる。上記方法により、隠蔽層１３ａを第二粘着剤層１３の面に形成することができる。
【００２５】
剥離紙Ｈとしては、紙等の基材あるいは紙にポリエチレン等の目止め層を設けた基材にアクリル系樹脂やシリコーン樹脂を塗布して硬化させた剥離紙が好適に使用できる。
【００２６】
ラベル本体Ｌに設ける切り取り線１５は、表面保護層１４と第二粘着剤層１３を備える場合、例えば、基材層１１と第一粘着剤層１２と剥離紙Ｈが積層された積層シートＡと表面保護層１４、第二粘着剤層１３、隠蔽層１３ａと剥離紙が積層された積層シートＢとを準備し、積層シートＢの剥離紙を剥離しながら第二粘着剤層１３及び隠蔽層１３ａの面を積層シートＡの基材層１１の上に隠蔽層１３ａと積層シートＡの粘着剤層非形成部１２ａの見当を合わせ、積層し、さらに全カット線１５ａとマイクロミシン目線１５ｂからなる所定形状の切り取り線１５を備えた抜型を用いて隠蔽層１３ａに全カット線１５ａが跨って位置するように見当合わせしながらラベル本体Ｌに切り取り線１５を形成する。全カット線１５ａ及びマイクロミシン目線１５ｂのカットは少なくともラベル本体Ｌの表面保護層１４、第二粘着剤層１３、隠蔽層１３ａ、基材層１１を貫通することが好ましい。このように表面保護層１４の上から基材層１１に至る切り取り線１５を同時に施すことにより第二粘着剤層１３及び表面保護層１４は、基材層１１が備える切り取り線と同調する切り取り線１５とすることができる。
【００２７】
図２は本発明に係る開通確認ラベル１０を使用する医療用複室容器２０の一実施形態を示す平面図である。図２に示すように医療用複室容器２０は、内面に熱融着性樹脂層を備えた２枚の積層体を熱融着性樹脂層同士を対向させ周縁が剥離不能に熱融着され、薬液が収納された二つの収納部２２、２３を有する容器本体２１と、収納部２２、２３を仕切っており外部から圧力を加えることにより剥離可能な区画部２４を備えている。区画部２４は剥離可能に熱融着され弱接着とされている。医療用複室容器２０は上部幅広部２６と下部幅広部２７を備え、左右の熱融着された周縁の幅よりも少し広くされている。図２において熱融着部は斜線部で示し区画部２４は網目線で示している。上部幅広部２６には容器本体２１を吊り下げるための掛吊り穴２５を備えており、下部幅広部２７には薬液取り出し口２８が取り付けられている。薬液取り出し口２８は収納部２３に連通し、開口がゴム栓等により塞がれている。収納部２２、２３には異なる薬液２９ａ、２９ｂがそれぞれ収納されており、区画部２４を剥離して収納部２２と収納部２３とを連通させて収納部に収納された異なる薬液２９ａ、２９ｂを混合することができる。なお、収納部は二つに限定されず、複数備えることができ、それぞれ異なる薬液を収納してもよい。
【００２８】
図３は本発明に係る開通確認ラベル付き医療用複室容器の一実施形態を示し、図３（イ）は平面図、図３（ロ）はＢ−Ｂ線断面図である。図３は図１に示す開通確認ラベル１０が、剥離紙Ｈが取り除かれた状態で露出したラベル本体Ｌの第一粘着剤層１２の面が、図２に示す医療用複室容器２０の容器本体２１に貼付された開通確認ラベル付き医療用複室容器３０の一例を示している。開通確認ラベル１０及び医療用複室容器２０は図１、図２に示す通りであり同符号を付してそれぞれの説明は省略する。図３（イ）に示す容器本体２１の収納部２２、２３には成分が異なる薬液２９ａ、２９ｂがそれぞれ収納され剥離可能な区画部２４で仕切られており、周縁で熱融着され密封されている。ラベル本体Ｌは切り取り部１６が容器本体２１の掛吊り穴２５を被覆し、切り取り部１６の粘着剤層非形成部１２ａが掛吊り穴２５の近傍の収納部２２の上に位置するように貼付されている。
【００２９】
つぎに図３、図４を参照しながら本発明の開通確認ラベル１０の使用方法について説明する。まず、開通確認ラベル１０を用いて、剥離紙Ｈを取り除き、ラベル本体Ｌの切り取り部１６の粘着剤層非形成部１２ａが掛吊り穴２５の近傍の収納部２２の上に位置するとともに掛吊り穴２５を被覆するようにして第一粘着剤層１２の面を容器本体２１に貼付することにより図３に示す開通確認ラベル付き医療用複室容器３０を作製する。
【００３０】
つぎに医療従事者は開通確認ラベル付き医療用複室容器３０の使用にあたり、まず、収納部２２の上から圧力を加え区画部２４を剥離させ収納部２２、２３に収納された薬液２９ａ、２９ｂの混合を実施する開通作業を行う。開通作業において収納部２２の中央部に圧力を加えると薬液２９ａが加圧され、その圧力により収納部２９の区画部２４及び掛吊り穴２５側が膨らむ。膨らむことによりその圧力が区画部２４に伝播され弱接着のために徐々に剥離し収納部２３側に後退していくと共に掛吊り穴２５側は収納部２３が膨らむことによりラベル本体Ｌの切り取り部１６の全カット線１５ａで仕切られた粘着剤層非形成部１２ａの部分が容器本体２１から離間する（図４（イ）参照）。一方、区画部２４はシール後退がさらに進み区画部が剥離すると、二つの収納部２２、収納部２３同士が連通し薬液２９ａ、薬液２９ｂが混合される。そして、離間した切り取り部１６を摘み、掛吊り穴２５側に引っ張り上げていくと切り取り部１６は切り取り線１５に沿って切り取られ、切り取り片１６’を取り除くと掛吊り穴２５が開通する（図４（ロ）参照）。そして、掛吊り穴２５にフックを掛けて、容器本体２１を吊り下げた状態として、薬液取り出し口２８を密封するゴム栓等にカテーテルに接続された刺栓針を刺し込み、カテーテルの先端に取り付けられた注射針から薬液２９ａ、２９ｂが混合された薬液が患者に投与される。このように開通作業を完了しないと切り取り部１６の切り取るきっかけがないのでラベル本体Ｌの切り取り部１６を容易に切り取ることができず掛吊り穴２５がラベル本体Ｌで塞がれているために開通確認ラベル付き医療用複室容器３０をフックに吊り下げることができず、開通作業忘れ防止効果が得られる。また、切り取り部１６の全カット線１５ａで仕切られた粘着剤層非形成部１２ａの部分は離間するので当該部分を摘み切り取り部１６を簡単に捲り取ることができる。したがって、従来の医療用複室容器のように誤って開通作業がされていない医療用複室容器を患者への薬液投与を開始してしまうことがない。
【００３１】
図５は開通確認ラベル１０の剥離紙Ｈを剥離し取り除いた状態のラベル本体Ｌを示し、ラベル本体Ｌの切り取り部１６を切り取った状態を示す拡大図である。開通作業により収納部２２が膨らんだとき、全カット線１５ａで仕切られた粘着剤層非形成部１２ａが容器本体２１から離間し摘まむキッカケができるので切り取り部１６の切り取りが容易にできる。さらに罫線１７を設けることにより全カット線１５ａで仕切られた粘着剤層非形成部１２ａが容器本体２１からより離間しやすく好ましいものである。切り取り片１６’は取り除かれるが、切り取り部が除かれたラベル本体１０’は容器本体２１に貼付されたまま残っている。
【００３２】
図６は本発明に係る開通確認ラベル付き医療用複室容器３０の開通確認ラベル１０のラベル本体Ｌの切り取り部１６を切り取った状態を示す説明図である。開通作業が実施されると収納部２２、２３に収納された薬液２９ａ、２９ｂが混合されると共に切り取り部１６を切り取り、切り取り片１６’を取り除くと掛吊り穴２５が見えている。符号２４’は剥離した区画部を示す。
【００３３】
なお、今まで説明してきた実施形態は、代表的な実施例を挙げたものであって、これに限定されるものではない。
【実施例】
【００３４】
〔実施例１〕
基材層１１として厚さ１２５μｍのポリエチレンテレフタレート系合成紙を用い、一方の面に所定幅の粘着剤層非形成部１２ａとアクリル系粘着剤からなる第一粘着剤層１２を形成し、さらに上質紙からなる基材にポリエチレン樹脂からなる目止め層とその上にシリコーン系剥離剤がコーティングされた剥離紙を積層した積層シートＡを準備した。粘着剤層非形成部１２ａは積層シートＡの走行する方向（流れ方向）に平行に帯状に形成されている。一方、表面保護層１４として二軸延伸ポリプロピレンフィルムを用い、第二粘着剤層１３としてアクリル系粘着剤を用い、これらと剥離紙が積層された積層シートの剥離紙を剥離し、露出した第二粘着剤層１３の面に所定形状・大きさの隠蔽層１３ａを紫外線硬化型インキでオフセット印刷し、その面に紫外線照射し紫外線硬化型インキを硬化させた後、剥離した剥離紙を再度、第二粘着剤層１３及び隠蔽層１３ａの上に積層し積層シートＢを準備した。
【００３５】
次に積層シートＡの基材層１１の表出面に絵柄や文字等をフレキソ印刷し、一方、積層シートＢの剥離紙を剥離し第二粘着剤層１３及び隠蔽層１３ａを露出させ、隠蔽層１３ａが積層シートＡの粘着剤層非形成部１２ａに位置するように見当合わせし露出した第二粘着剤層１３及び隠蔽層１３ａの面を基材層１１の上に積層した。そして、全カット線１５ａとマイクロミシン目線１５ｂからなる切り取り線１５と罫線１７とラベル本体Ｌの外郭となる全カット線を備えた抜型を用いて表面保護層１４の側から打抜き切り取り線１５及び罫線１７を施すと共にラベル本体の外郭を全カット線で形成した。その後、ラベル本体の外郭の全カット線で囲まれたラベル本体Ｌを剥離紙Ｈに残し、ラベル本体Ｌの外郭の全カット線より外側の不要となった部分をカスとして除去し、図１に示すラベル本体Ｌを備えた開通確認ラベル１０を作製した。
【００３６】
収納部２２、２３にそれぞれ所定量の水道水が充填された図２に示すような医療用複室容器を準備した。まず、開通確認ラベル１０の剥離紙Ｈを取り除き、ラベル本体Ｌの切り取り部１６の粘着剤層非形成部１２ａが掛吊り穴２５の近傍の収納部２２の上に位置するとともに掛吊り穴２５を被覆するようにして第一粘着剤層１２の面を容器本体２１に貼付し、図３に示す開通確認ラベル付き医療用複室容器３０を作製した。
【００３７】
次に作製した開通確認ラベル付き医療用複室容器３０の開通作業を実施した。収納部２２の中央部に圧力を加えると薬液２９ａが加圧され、その圧力により収納部２２の区画部２４及び掛吊り穴２５側が膨らみ、掛吊り穴２５側は収納部２２が膨らむことによりラベル本体Ｌの切り取り部１６の全カット線１５ａで仕切られた粘着剤層非形成部１２ａの部分が容器本体２１から離間した。一方、区画部２４はシール後退が進み剥離した結果、収納部２２、収納部２３同士が連通した。そして、離間した切り取り部１６を摘み、掛吊り穴２５側に引っ張り上げていくと切り取り部１６は切り取り線１５に沿って容易に切り取ることができ、掛吊り穴２５が開通した。
【００３８】
［実施例２］
実施例１の開通確認ラベル１０の切り取り部１６に罫線１７を設けなかった以外は実施例１と同様とした。得られた開通確認ラベル付き医療用複室容器３０の開通作業を実施したところ、実施例１と同様に良好に開通作業が実施できた。ただし、実施例１に比べ切り取り部１６の容器本体２１から離間する距離は小さかった。
【００３９】
［実施例３］
実施例１の開通確認ラベル１０の表面保護層１４、第二粘着剤層１３を設けなかった以外は実施例１と同様とした。得られた開通確認ラベル付き医療用複室容器３０の開通作業を実施したところ、実施例１と同様に良好に開通作業が実施できた。
【００４０】
［実施例４］
実施例３の開通確認ラベル１０の切り取り部１６に罫線１７を設けなかった以外は実施例１と同様とした。得られた開通確認ラベル付き医療用複室容器３０の開通作業を実施したところ、実施例１と同様に良好に開通作業が実施できた。ただし、実施例３に比べ切り取り部１６の容器本体２１から離間する距離は小さかった。
【符号の説明】
【００４１】
１０                  開通確認ラベル
１０’                切り取り部が除かれたラベル本体
１０ａ                ラベル本体の一方の辺
１０ｂ                ラベル本体の他方の辺
Ｌ                    ラベル本体
Ｈ                    剥離紙
１１                  基材層
１２                  第一粘着剤層
１２ａ                粘着剤層非形成部
１３                  第二粘着剤層
１３ａ                隠蔽層
１４                  表面保護層
１５                  切り取り線
１５ａ                全カット線
１５ｂ                マイクロミシン目線
１６                  切り取り部
１６’                切り取り片
１７                  罫線
ｓ                    起点
ｔ                    終点
ｕ                    Ｕターン地点
２０                  医療用複室容器
２１                  容器本体
２２、２３            収納部
２４                  区画部
２４’                剥離した区画部
２５                  掛吊り穴
２６                  上部幅広部
２７                  下部幅広部
２８                  薬液取り出し口
２９ａ、２９ｂ        薬液
３０                  開通確認ラベル付き医療用複室容器
【図１】
0006988501.tif 000002
【図２】
0006988501.tif 000003
【図３】
0006988501.tif 000004
【図４】
0006988501.tif 000005
【図５】
0006988501.tif 000006
【図６】
0006988501.tif 000007